(57)【要約】【課題】粉体の飛散状態を評価するための模擬粉体、その製造方法、その模擬粉体を用いた粉体の飛散状態の評価方法、及びその評価方法により粉体の飛散状態を評価した粉体取扱い施設を提供する。【解決手段】１）ラクトースを含む核粒子に、ＡＴＰ及びその誘導体からなる群より選択される１以上の化合物が付着された複合化粒子からなる模擬粉体。２）ラクトースを含む核粒子からなる母粒子と、ＡＴＰ及びその誘導体からなる群より選択される１以上の化合物からなる子粒子とを高速気流中で衝突させることにより、母粒子の表面を子粒子によって被覆した複合化粒子を得ることを特徴とする模擬粉体の製造方法。３）評価対象の空間中に模擬粉体を飛散させるステップと、空間の所定位置に飛散した模擬粉体を回収するステップと、回収した模擬粉体を定量的又は定性的に分析するステップと、を有することを特徴とする粉体飛散状態評価方法。【選択図】なし【特許請求の範囲】
【請求項１】
粉体の飛散状態を評価するために前記粉体の代わりに用いる模擬粉体であって、
ラクトースを含む核粒子に、アデノシン５’−三リン酸（ＡＴＰ）及びその誘導体からなる群より選択される１以上の化合物が付着された複合化粒子からなることを特徴とする模擬粉体。
【請求項２】
前記複合化粒子が、前記核粒子からなる母粒子の表面に前記化合物からなる子粒子が付着されてなることを特徴とする請求項１に記載の模擬粉体。
【請求項３】
前記複合化粒子が、前記母粒子と前記子粒子が高速気流中で衝突し、前記母粒子の表面に前記子粒子が被覆されてなることを特徴とする請求項２に記載の模擬粉体。
【請求項４】
前記複合化粒子の粒径が０．５μｍ〜３０μｍであることを特徴とする請求項１〜３の何れか一項に記載の模擬粉体。
【請求項５】
粉体の飛散状態を評価するために前記粉体の代わりに用いる模擬粉体の製造方法であって、
ラクトースを含む核粒子からなる母粒子と、アデノシン５’−三リン酸（ＡＴＰ）及びその誘導体からなる群より選択される１以上の化合物からなる子粒子とを高速気流中で衝突させることにより、前記母粒子の表面を前記子粒子によって被覆した複合化粒子からなる前記模擬粉体を得ることを特徴とする模擬粉体の製造方法。
【請求項６】
粉体の代わりに模擬粉体を用いて前記粉体の飛散状態を評価する粉体飛散状態評価方法であって、
評価対象の空間中に請求項１〜４の何れか一項に記載の模擬粉体を飛散させるステップと、
前記空間の所定位置に飛散した前記模擬粉体を回収するステップと、
回収した前記模擬粉体を定量的又は定性的に分析するステップと、を有することを特徴とする粉体飛散状態評価方法。
【請求項７】
前記分析が、ルシフェラーゼ、ルシフェリン及び前記化合物を共存させた結果生じる反応を検出することで行われることを特徴とする請求項６に記載の粉体飛散状態評価方法。
【請求項８】
粉体を取り扱う空間を備えた粉体取扱い施設であって、
請求項６又は７に記載の粉体飛散状態評価方法により、前記空間における粉体の飛散状態が評価されたことを特徴とする粉体取扱い施設。
【発明の詳細な説明】
【技術分野】
【０００１】
本発明は、模擬粉体、模擬粉体の製造方法、粉体飛散状態評価方法、及び粉体取扱い施設に関する。より詳しくは、本発明は、例えば、高薬理活性医薬品などの人体に影響を及ぼす粉体の製造設備や研究開発設備等の粉体取扱い施設における粉体の飛散状態を評価するために用いる模擬粉体、その模擬粉体の製造方法、その模擬粉体を用いて粉体の飛散状態を評価する方法、及びその評価方法により粉体の飛散状態を評価した粉体取扱い施設に関する。
【背景技術】
【０００２】
高薬理活性医薬品とは、抗がん剤やホルモン剤に代表される、少量で人体に強い薬効作用を与える医薬品である。例えば、１μｇ／ｍ３以下の気中濃度で人体に何らかの生理活性作用をもたらす高薬理活性医薬品もある。このような医薬品の取扱い施設においては、製品の品質管理（コンタミネーション防止）、作業者の健康被害の防止、環境汚染の防止の観点から、製造装置と設備における医薬品粉体の飛散防止（医薬品粉体の封じ込め）対策が重要である。一般には、アイソレータ等の物理的に囲われた封じ込め装置内で作業が行われる。しかしながら、医薬品製造のコストダウンや柔軟な生産体制が求められており、クリーンブースのようなセミオープンな設備（半密閉設備）において医薬品粉体を取り扱うニーズも高い。
【０００３】
製造・研究開発の現場では、医薬品粉体の飛散性を把握し、現場環境での封じ込め状態を測定して解析する技術が不可欠である。そして、医薬品粉体が現場環境に飛散した場合の飛散性評価や封じ込め評価（医薬品粉体の飛散状態評価）を行う際に、薬理活性の高い医薬品そのものを使用すると、皮膚への付着や吸引などによって作業者に悪影響が及ぶことが懸念される。このため、医薬品粉体を使用する代わりに、安全性の高い模擬粉体を使用して、その飛散状態を評価することが多い。
【０００４】
非特許文献１では、模擬粉体としてラクトース（乳糖）の粉体を用いるＳＭＥＰＡＣ法（The Standardized Measurement of Equipment Particulate Airborne Concentration法）が推奨されている。ここで使用されるラクトースは、製薬の賦形剤として用いられる物質であり、人体に無害であり、水に溶けやすく、安定性が良好であるため汎用されている。しかし、測定対象の施設内に飛散させたラクトース粉体を定量分析するためには、高価で大がかりな装置と煩雑な作業が必要である。具体的には、フィルターや拭き取りにより、測定対象施設内に飛散したラクトース粉体のサンプリングを行い、これを分析施設に搬送して、高速液体クロマトグラフやイオンクロマトグラフ等の装置で分析・評価することが行われている。このため、結果を得るまでに数日から１週間程度を要する場合も多く、測定対象の施設内で短時間に評価を行うことが困難である。
【０００５】
特許文献１には、粉体の飛散状態評価を行うにあたり、特定粒径のアデノシン５’−三リン酸（ＡＴＰ）粉体を模擬粉体として利用する発明が開示されている。この発明では、測定対象の施設内にサンプリング用のシートを設置し、ＡＴＰ粉体を飛散させて、シートに付着したＡＴＰ粉体を定量分析する。ＡＴＰ粉体の定量分析には、現場に持ち込み可能な検出装置を用いて行うことができるため、その場で評価結果を得ることができる。簡易な装置で高感度に定量できるＡＴＰ粉体を模擬粉体として用いることにより、定量測定にかかる手間と時間は改善されつつある。
【先行技術文献】
【非特許文献】
【０００６】
【非特許文献１】ＩＳＰＥ（The International Society for Pharmaceutical Engineering Inc.）Good Practice Guide  製薬機器の粒子封じ込め（コンテイメント）性能評価ガイドライン、ＳＭＥＰＡＣ委員会編、ＩＳＢＮ  １−９３１８７９−５１−６
【特許文献】
【０００７】
【特許文献１】特開２０１０−２７６４６８号公報
【発明の概要】
【発明が解決しようとする課題】
【０００８】
上述した特許文献１で用いられるＡＴＰ粉体の検出法は極めて感度が高く、例えばサンプル中にフェムトモル濃度の単位で存在するＡＴＰを検出可能であるとされる。
しかしながら、ここまで感度が高いと、１回目の測定後、更に２回目の測定を行う場合、１回目のＡＴＰ粉体が極微量残留しているだけで、２回目の測定に影響を与えてしまう等の問題が生じうる。また、既存の標準法であるＳＭＥＰＡＣ法の測定結果と比較することができないという問題、現場環境で実際に使用される種々の粉体の粒径や粒子密度に合わせたＡＴＰ粉体を調製することが難しいという問題もある。
【０００９】
本発明は、上記事情に鑑み、高薬理活性医薬品等の粉体に代わる模擬粉体を評価対象の施設内に飛散させて、その飛散状態を評価するために、従来の標準法であるＳＭＥＰＡＣ法を同時に実施することが可能であり、検出感度が高い簡易な測定法によって、模擬粉体（粉体）の飛散状態を評価する方法を提供する。
また、その評価方法に使用される模擬粉体、その模擬粉体の製造方法、及びその評価方法により粉体の飛散状態を評価した粉体取扱い施設を提供することも目的とする。
【課題を解決するための手段】
【００１０】
上記の目的を達するために、本発明は以下の手段を提供している。
本発明の模擬粉体は、粉体の飛散状態を評価するために前記粉体の代わりに用いる模擬粉体であって、ラクトースを含む核粒子に、アデノシン５’−三リン酸（ＡＴＰ）及びその誘導体からなる群より選択される１以上の化合物が付着された複合化粒子からなることを特徴とする。
前記複合化粒子は、前記核粒子からなる母粒子の表面に前記化合物からなる子粒子が被覆されてなることが好ましい。
前記複合化粒子は、前記母粒子と前記子粒子が高速気流中で衝突し、前記母粒子の表面に前記子粒子が被覆されてなることが好ましい。
前記複合化粒子の粒径は、０．５μｍ〜３０μｍであることが好ましい。
【００１１】
本発明の模擬粉体の製造方法は、粉体の飛散状態を評価するために前記粉体の代わりに用いる模擬粉体の製造方法であって、ラクトースを含む核粒子からなる母粒子と、アデノシン５’−三リン酸（ＡＴＰ）及びその誘導体からなる群より選択される１以上の化合物からなる子粒子とを高速気流中で衝突させることにより、前記母粒子の表面を前記子粒子によって被覆した複合化粒子からなる前記模擬粉体を得ることを特徴とする。
【００１２】
本発明の粉体飛散状態評価方法は、粉体の代わりに模擬粉体を用いて前記粉体の飛散状態を評価する粉体飛散状態評価方法であって、評価対象の空間中に前記模擬粉体を飛散させるステップと、前記空間の所定位置に飛散した前記模擬粉体を回収するステップと、回収した前記模擬粉体を定量的又は定性的に分析するステップと、を有することを特徴とする。
前記分析は、ルシフェラーゼ、ルシフェリン及び前記化合物を共存させた結果生じる反応を検出することで行われることが好ましい。
【００１３】
本発明の粉体取扱い施設は、粉体を取り扱う空間を備えた粉体取扱い施設であって、前記粉体飛散状態評価方法により、前記空間における粉体の飛散状態が評価されたことを特徴とする。
【発明の効果】
【００１４】
本発明の模擬粉体によれば、高薬理活性医薬品等の粉体に代えて評価対象の空間中に飛散させることにより、その飛散状態を感度良く検出し、定量的又は定性的に分析することができる。この際、本発明の模擬粉体を構成する粒子は複合化粒子であるため、回収（サンプリング）した単一試料中の模擬粉体を二つの方法で分析することができる。第一の分析方法は、複合化粒子を構成する前記化合物を高感度に検出して分析する方法であり、第二の定量方法は、従来のＳＭＥＰＡＣ法によって分析する方法である。これら二つの方法で分析することによって、信頼性の高い結果を得ることができる。また、第一の分析方法は、現場に持ち込み可能な簡易装置で高感度に実施することができるので、測定現場で迅速に、模擬粉体（粉体）の飛散性及び／又は封じ込め性を評価することができる。
【００１５】
複合化粒子を構成する核粒子と前記化合物との配合割合を調整することにより、複合化粒子の検出感度を調整するとともに、複合化粒子に、実際の粉体を構成する粒子と同等の粒子密度及び飛散性を付与することができる。
【００１６】
複合化粒子が核粒子からなる母粒子の表面に前記化合物からなる子粒子が付着してなる粒子であると、母粒子と子粒子の配合割合を調整することによって、複合化粒子に、実際の粉体を構成する粒子と同等の密度や飛散性を容易に付与することができる。
【００１７】
複合化粒子が母粒子と子粒子が高速気流中で衝突し、母粒子の表面に子粒子が被覆されてなる粒子であると、子粒子が母粒子の表面に強固に結合されているため、複合化粒子が飛散中に母粒子と子粒子に分解することが殆ど無い。さらに、模擬粉体を構成する各複合化粒子における母粒子と子粒子の割合がほぼ均一であるため、より正確に模擬粉体の飛散状態を調べることができる。
【００１８】
模擬粉体の粒径が０．５μｍ〜３０μｍであると、その模擬粉体に、高薬理活性医薬品などの実際の粉体に近い粒度分布や密度を付与することが容易であるため、より正確な評価が可能になる。
【００１９】
本発明の模擬粉体の製造方法によれば、ラクトースを含む母粒子の表面を前記化合物からなる子粒子で比較的均一に被覆することができる。この結果得られる複合化粒子において、母粒子と子粒子は比較的強く結合（付着）しているため、飛散中に複合化粒子が母粒子と子粒子に分解することを抑制できる。この複合化粒子を模擬粉体として飛散させることにより、その飛散性に関して信頼性の高いデータを得ることができる。
【００２０】
本発明の粉体飛散状態評価方法によれば、前述の複合化粒子からなる模擬粉体を用いることにより、評価対象の空間中に飛散させた模擬粉体を適度に高い感度で検出し、定量的又は定性的に分析することができる。この際、複合化粒子においてラクトースが前記化合物（ＡＴＰ又はその誘導体）の担体として機能しているため、従来のＡＴＰのみからなる粒子に比べて、本発明の模擬粉体中の前記化合物の濃度を減じることができる。つまり、複合化粒子中の前記化合物の濃度がラクトースによって希釈されているため、前記化合物を適度な感度で検出することができる。この結果、本発明の粉体飛散状態評価方法においては、従来方法のようにＡＴＰ粒子の過剰に高い検出感度が問題になることは殆ど無く、粉体の飛散状態の評価結果を迅速に得ることが可能である。また、複合化粒子を構成するラクトースをＳＭＥＰＡＣ法で分析した結果と、複合化粒子を構成する前記化合物の分析結果を相互に参照することにより、より信頼性の高いデータを得ることができる。
【００２１】
また、回収した模擬粉体を定量的又は定性的に分析する際、ルシフェラーゼ、ルシフェリン及び前記化合物を共存させた結果生じる反応を検出することで行うことにより、現場で簡便に分析し、その空間における粉体の飛散状態を評価することができる。
また、粉体取扱い施設が備える空間において、粉体が飛散した場合の飛散状態や封じ込め状態を評価することにより、所定の基準を満たすことを確認し、その粉体取扱い施設が粉体を取り扱うことに適しているか否かを判断することができる。
【発明を実施するための形態】
【００２２】
以下、好適な実施の形態に基づいて本発明を説明する。
【００２３】
《模擬粉体》
本実施形態の模擬粉体は、粉体（以下、「対象粉体」という）の飛散状態を評価するために対象粉体の代わりに用いる模擬粉体であって、ラクトースを含む核粒子に、アデノシン５’−三リン酸（ＡＴＰ）及びその誘導体からなる群より選択される１以上の化合物が付着された複合化粒子からなる。
【００２４】
模擬粉体は、例えば、医薬品の製造施設や研究開発施設などの高薬理活性を有する対象粉体の取扱い施設において、この対象粉体が飛散した際の飛散性や封じ込め性などの対象粉体の飛散状態を評価する目的で用いられる。また、高薬理活性医薬品の粉体に限らず、あらゆる対象粉体の飛散状態を評価するために適用可能である。
【００２５】
＜核粒子＞
核粒子の全重量に対するラクトースの含有量は特に制限されないが、模擬粉体を一般的な医薬品粉体（対象粉体）の飛散性に類似させることが容易である観点から、その含有量は、５０〜１００重量％であることが好ましく、７５〜１００重量％であることがより好ましく、９０〜１００重量％であることがさらに好ましい。
【００２６】
核粒子を構成するラクトース以外の材料は特に制限されず、公知の賦形剤が適用可能であり、例えばデンプン、デキストリン、サッカロース、グルコース等が挙げられる。
【００２７】
模擬粉体を構成する核粒子の粒径は特に制限されないが、例えば０．０１μｍ〜５００μｍが好ましく、０．１μｍ〜１００μｍがより好ましく、０．５μｍ〜３０μｍがさらに好ましい。核粒子の粒径が上記範囲であると、一般的な医薬品製造施設等で使用される対象粉体の粒径を模して、当該対象粉体の飛散状態をより精度良く評価することができる。ここで示す粒径は、一次粒径であってもよいし、二次粒径であってもよい。
【００２８】
核粒子の粒径、形状、密度等の物性は、医薬品粉体等の実際の粉体に近いことが好ましい。また、核粒子の物性は、従来のＳＭＥＰＡＣ法に使用されるラクトース粉体を構成する粒子の物性と同等であることが好ましい。したがって、本実施形態における核粒子として、従来のラクトース粒子を用いてもよい。
【００２９】
＜化合物＞
ラクトースを含む核粒子に付着された化合物は、アデノシン５’−三リン酸（ＡＴＰ）及びその誘導体からなる群より選択される１以上の化合物である。
ＡＴＰは、生物体の生化学反応で利用されるヌクレオチドであり、仮に微量のＡＴＰが作業者に吸引される又は付着したとしても実質的な害は殆ど無い化合物である。
ＡＴＰの誘導体としては、例えばＡＤＰ、ＡＭＰ、ｃＡＭＰが挙げられる。ＡＤＰは、ＡＴＰ分子を構成するリボースの５’位にリン酸エステル結合を介して連結された３個のリン酸基のうち、リボースから最も遠いγ位のリン酸基が水素原子で置換されたアデノシン５’−二リン酸であり、ＡＭＰは、γ位及びβ位の２つのリン酸基が水素原子で置換されたアデノシン５’−一リン酸であり、ｃＡＭＰは、ＡＴＰ分子を構成するリボースの５’位及び３’位が１つのリン酸基で環状に連結された環状アデノシン一リン酸である。これらのＡＴＰ誘導体は、後述する生物発光法によってＡＴＰと同様に高感度で検出することができる。
【００３０】
ＡＴＰ及びその誘導体からなる群より選択される１以上の化合物は、精製された純粋なＡＴＰ及びＡＴＰ類に限られず、ＡＴＰ及びＡＴＰ類の塩や水和物を含む。例えばＡＴＰ二ナトリウム塩・三水和物が挙げられる。
【００３１】
ラクトースを含む核粒子に付着された前記化合物の種類は１種であってもよいし、２種以上であってもよい。
【００３２】
＜複合化粒子＞
複合化粒子を構成する核粒子に付着された前記化合物の形態は特に制限されず、当該化合物の粒子（子粒子）が核粒子（母粒子）に付着した形態であってもよいし、当該化合物が核粒子の表面に層を形成して均一に被覆した形態であってもよいし、当該化合物の一部又は全部が核粒子内に包含された形態であってもよい。
【００３３】
複合化粒子の粒径は特に制限されないが、例えば０．０１μｍ〜５００μｍが好ましく、０．１μｍ〜１００μｍがより好ましく、０．５μｍ〜３０μｍがさらに好ましい。複合化粒子の粒径が上記範囲であると、一般的な医薬品製造施設等で使用される対象粉体の粒径を模して、当該対象粉体の飛散状態をより精度良く評価することができる。ここで示す粒径は、一次粒径であってもよいし、二次粒径であってもよい。
【００３４】
模擬粉体を構成する複合化粒子の粒径は、レーザー散乱式粒度分布測定装置により求めた体積基準平均径である。なお、前述の核粒子の粒径についても同様の方法で求められる。
【００３５】
模擬粉体を構成する複合化粒子の粒度分布は特に制限されず、実際の対象粉体の粒度分布に合わせて適宜調整すればよい。例えば、分級によって模擬粉体の粒度分布を調整することができる。粒度分布幅の広い模擬粉体を分級することによって、その粒度分布幅を狭くしてもよい。逆に、粒度分布幅の狭い模擬粉体を複数混合し、粒度分布幅の広い模擬粉体を調製してもよい。
【００３６】
模擬粉体は、１種類の複合化粒子のみから構成されていてもよいし、複数種類の複合化粒子によって構成されていてもよい。
【００３７】
模擬粉体を構成する複合化粒子の形状は特に制限されず、例えば、種々の多面体、球体又は楕円回転体に近似可能な形状が挙げられる。
模擬粉体を構成する複合化粒子の密度は特に制限されず、実際の対象粉体の密度と同程度になるように適宜調整すればよい。
【００３８】
模擬粉体の飛散性は、粒子の密度によって大きく影響される。このため、模擬粉体と実際の対象粉体との密度を近くすることが必要である。この観点から、複合化粒子を構成する核粒子と核粒子に付着させる前記化合物との配合割合を調整することが好ましい。具体的には、複合化粒子の全重量に対する核粒子の重量は、７０〜９９．９９９重量％が好ましく、９７〜９９．９９９重量％がより好ましく、９９〜９９．９９重量％がさらに好ましい。
【００３９】
複合化粒子を構成するラクトース粒子と前記化合物の混合比は、ラクトース又は前記化合物の定量を阻害しない範囲であれば特に制限されない。複合化粒子において、ラクトース粒子の重量が１００重量部である場合、前記化合物の重量は０．００１〜１重量部であることが好ましい。この範囲であると、ラクトースと前記化合物とが互いに干渉することなく、高精度に定量分析することができる。
【００４０】
《模擬粉体の製造方法》
本実施形態の模擬粉体の製造方法は、複合化粒子の形態に応じて選択可能な方法が異なる。以下に、第一の複合化方法と第二の複合化方法をそれぞれ説明する。
【００４１】
＜第一の複合化方法＞
第一の複合化方法は、前記化合物が核粒子の表面に層（コーティング層）を形成してなる又は前記化合物が核粒子の内部に含浸されてなる、複合化粒子の製造方法である。まず、前記化合物が所定の濃度で溶解された溶液を準備し、その溶液を核粒子の表面に均一に塗布する。塗布方法は特に制限されず、粒子と前記溶液とを混合する公知の方法が適用できる。次に、核粒子に塗布された前記溶液の溶媒を除去して、核粒子の表面に前記溶液の溶質である前記化合物を残留させることによって、目的の複合化粒子を得ることができる。この際、核粒子の内部に前記溶液を含浸させることにより、核粒子の内部にも前記化合物を配置することができる。前記溶液の塗布と前記溶媒の除去を行う装置として、例えば、パン・コーティング装置、転動コーティング装置、流動層コーティング装置が挙げられる。これらの装置を用いることにより、核粒子の表面に前記化合物を均一に被覆（コーティング）することができる。
【００４２】
＜第二の複合化方法＞
第二の複合化方法は、前記化合物の粒子（子粒子）が核粒子（母粒子）に付着してなる複合化粒子の製造方法である。この製造方法においては、母粒子の表面に子粒子が比較的強く付着（固着）させることが可能な処理を行うことが好ましい。
【００４３】
仮に、子粒子と母粒子とが弱く付着した状態であると、単に子粒子と母粒子を混合した状態に近くなる。このような混合物を評価対象の空間に飛散させた場合、飛散する粒子は複合化粒子の状態を維持せずに分解し、子粒子と母粒子とがそれぞれ独立に飛散する割合（可能性）が高くなる。このように独立して飛散した子粒子と母粒子は互いに異なる飛散性を示すため、対象粉体の飛散性及び対象粉体の飛散性を模した複合化粒子の飛散性とは異なってしまうことがある。
【００４４】
子粒子と母粒子とが比較的弱く付着した状態で複合化粒子を製造する方法として、子粒子及び母粒子をミル等で撹拌しながら混合する混合方法、流動層法による混合方法、高速圧縮・せん断型混合機を用いた混合方法等が挙げられる。これらの混合方法では、混合条件を適切に設定することにより子粒子と母粒子を強く付着させた複合化粒子を得たとしても、各複合化粒子における子粒子と母粒子の重量比が異なる不均一な複合化粒子になってしまう可能性が高い。このような不均一な複合化粒子を模擬粉体として使用した場合、定性的な分析及び評価の結果を得ることは可能であるが、定量的に正確な評価結果を得ることは困難である。
【００４５】
本実施形態においては、母粒子の表面に子粒子を比較的強く付着させることが可能な乾式粒子複合化技術を適用することが好ましい。この技術によれば、高速気流中に分散させた母粒子と子粒子とを互いに衝突させて、主にその衝突時の衝撃力により母粒子と子粒子とを乾式で固着（固定）し、母粒子の表面の全部又は少なくとも一部を被覆することができる。この方法は母粒子の表面を子粒子によって表面改質して複合化する方法である、と言い換えることができる。
【００４６】
乾式粒子複合化技術を用いれば、衝突時の条件を適宜調整することにより、母粒子の表面に子粒子からなる膜を成膜することも可能である。この成膜時には、衝突前の子粒子の形状を維持させることもできるし、衝突エネルギーによって子粒子の形状を変形させることもできる。基本的には、衝突後（複合化後）においても、衝突前の母粒子の形状及び粒子径を維持させることができる。
【００４７】
乾式粒子複合化技術による複合化粒子の形成において、母粒子と子粒子を衝突させるチャンバーを冷却し、チャンバー内を窒素ガスやアルゴンガス等の不活性ガス雰囲気にすることにより、子粒子を構成する前記化合物の熱分解や酸化分解を抑制し、複合化粒子の検出感度が損なわれることを防止できる。このような複合化方法は、公知の市販装置で行うことができる。
【００４８】
《粉体飛散状態評価方法》
本実施形態の粉体飛散状態評価方法は、対象粉体の代わりに模擬粉体を用いて、対象粉体の飛散状態を評価する粉体飛散状態評価方法であって、評価対象の空間中に模擬粉体を飛散させるステップ（粉体飛散ステップ）と、空間の所定位置で飛散した模擬粉体を回収するステップ（回収ステップ）と、回収した模擬粉体を定量的又は定性的に分析するステップ（分析ステップ）と、を有する。
本実施形態の粉体飛散状態評価方法は、粉体飛散ステップ、回収ステップ及び分析ステップ以外の他のステップ、例えば、模擬粉体の飛散状態を評価するステップ（評価ステップ）を有していてもよい。この評価ステップは公知の方法が適用可能である。
【００４９】
粉体飛散ステップにおいて模擬粉体を飛散させる方法は特に制限されず、例えば模擬粉体をロータリードラムに入れて回転させることによって模擬粉体を飛散させる方法、ホッパーから模擬粉体を放出し、更にエアブローを吹き付ける方法等の公知の方法が適用できる。模擬粉体を飛散させる方法は、評価対象の空間の大きさや形態に応じて適宜選択すればよい。
【００５０】
以下に、回収ステップ及び分析ステップについて、具体的に二つの方法を説明する。
【００５１】
＜模擬粉体を回収し、分析する第一の方法＞
評価対象の空間に飛散させた複合化粒子からなる模擬粉体は、通常数分〜数時間の間、評価対象の空間中に浮遊している。空間中の空気（気体）をフィルターが備えられた捕集器に導いて、このフィルターで空間中に浮遊している模擬粉体を捕集することができる。捕集後にフィルターを例えば精製水やアルコール等で洗浄することにより、捕集した模擬粉体を洗浄液中に溶解させることができる。この洗浄液中に含まれるＡＴＰ等の前記化合物の量又はその有無を公知の方法で定量又は検出することにより、捕集位置に浮遊していた模擬粉体を定量的に又は定性的に分析することができる。さらに、洗浄液中にはＡＴＰ等の前記化合物と正の相関を示す量のラクトースが溶解しているので、ＳＭＥＰＡＣ法又はそれに準じた液体クロマトグラフィー（ＨＰＬＣ）によって洗浄液中のラクトース量を定量すれば、さらに信頼性の高い結果が得られる。
【００５２】
この第一の方法で使用する捕集器としては、上述のフィルターを備えた捕集器に代えて、複合化粒子を溶解可能な溶媒が入ったインピンジャーを捕集器として使用してもよい。
【００５３】
＜模擬粉体を回収し、分析する第二の方法＞
評価対象の空間に飛散させた複合化粒子からなる模擬粉体は、通常数分〜数時間の間、評価対象の空間中に浮遊している。この模擬粉体が落下するのを待ち、その後、評価対象の空間を構成する地面や壁又は前記空間に設置された机等に付着した模擬粉体を定量する。この場合、予めサンプリング用のシートを評価対象の空間の壁等に設定しておき、そのシートに落下した模擬粉体を捕集し、この模擬粉体を適当な溶媒に溶解した溶液を調製し、この溶液中のＡＴＰ等の前記化合物を公知の方法で定量的に又は定性的に分析することにより、捕集位置に落下した模擬粉体を定量又は定性分析することができる。さらに、前記溶液中にはＡＴＰ等の前記化合物の量と正の相関を示す量のラクトースが溶解しているので、ＳＭＥＰＡＣ法又はそれに準じた液体クロマトグラフィーによって前記溶液中のラクトース量を定量すれば、さらに信頼性の高い結果が得られる。
【００５４】
検出した模擬粉体を定量的又は定性的に分析することにより、評価対象の空間における模擬粉体の飛散状態を評価することができる。評価対象の空間で取り扱う実際の対象粉体の飛散性と模擬粉体の飛散性が類似していることを前提として、模擬粉体の飛散状態から実際の対象粉体の飛散状態を知り、その飛散状態を評価することができる。
【００５５】
また、本実施形態の粉体飛散状態評価方法により、評価対象の空間（第一空間）に隣接する空間（第二空間）に、模擬粒子が拡散しているか（漏出しているか）を評価してもよい。第一空間および第二空間に前記捕集器又は前記サンプリング用シートを設置し、第一空間と第二空間における前記模擬粉体の量又は有無をモニターし、第二空間で検出された模擬粉体の量が、想定範囲内であるか否かを評価することができる。第二空間において模擬粉体が検出されない又は検出量が所定値よりも低ければ、第一空間における模擬粉体の封じ込め性が良好であると判断できる。
【００５６】
＜ＡＴＰ等の前記化合物の定量方法＞
分析試料中のＡＴＰ等の前記化合物の定量方法は特に制限されず、公知の方法が適用できる。例えば特許文献１に記載されたルシフェラーゼを使用する方法が挙げられる。ルシフェラーゼは分析試料中のＡＴＰ等の前記化合物を利用して、発光物質であるルシフェリンが光を放つ化学反応（発光反応）を触媒する酵素の総称である。一般に、その発光量は分析試料中の前記化合物の量に正の相関を示す。予め検量線を準備しておき、ルシフェラーゼと分析試料を混合して、その発光量を測定することによって、分析試料中の前記化合物の量を正確に測定することができる。
【００５７】
通常、ルシフェラーゼが発光反応を触媒するためにはマグネシウムイオン等の金属イオンが補因子として必要になる。このため、ルシフェラーゼ、金属イオン及びルシフェリンを分析試料と混合することが好ましい。また、ルシフェラーゼの種類によっては、ＡＴＰだけを基質として使用し、前述のＡＴＰの誘導体を基質として使用できないものもある。この場合、分析試料中の前記誘導体をＡＴＰに変換する処理を行うことが好ましい。この変換処理は公知の方法で行えばよく、例えば特開平９−２３４０９９号公報に開示された方法が挙げられる。
【００５８】
分析試料中のＡＴＰを定量する際、ＡＴＰの検出感度が高過ぎる場合には、分析試料を適当な溶媒で希釈することにより、そのＡＴＰ濃度を下げた後で定量しても構わない。希釈割合としては、例えば１０４〜１０７倍が挙げられる。
【００５９】
《粉体取扱い施設》
本実施形態の粉体取扱い施設は、粉体を取り扱う空間を備えた粉体取扱い施設であって、前述した粉体飛散状態評価方法により、空間における粉体の飛散状態が評価された粉体取扱い施設である。この施設に備えられた空間の大きさ（施設の規模）は特に制限されない。粉体取扱い施設としては、例えば、医薬品製造工場における粉体取扱い室、粉体取扱いブース、クリーンブース、グローブボックス、粉体保管室等が挙げられる。
【００６０】
薬理活性の特に高い医薬品の許容曝露管理量（ＯＥＬ：Occupational Exposure Limits）は通例１μｇ／ｍ３以下とされている。本実施形態の模擬粉体の飛散状態評価方法は、このような高薬理活性医薬品を対象とした施設（装置、設備）の評価に適用できる。
【実施例】
【００６１】
［試験例１］
＜模擬粉体１の調製＞
ラクトース・水和物（ＣＡＳ番号：６４０４４−５１−５）からなる粉体（１００ｇ）と、ＡＴＰ（ＣＡＳ番号：５６−６５−５）からなる粉体（０．１ｇ）とを撹拌装置（奈良機械製作所製、型名：ＯＭダイザー）を用いて混合し、ラクトースからなる母粒子の表面に、ＡＴＰからなる子粒子が比較的弱く付着された複合化粒子からなる模擬粉体１を得た。
ここで使用したラクトース粒子の粒子径は約０．５μｍ〜３０μｍであり、その比重は約１．５である。ここで使用したＡＴＰ粒子の粒子径は約１００ｎｍ〜１００μｍであり、その比重は約１である。
【００６２】
＜模擬粉体１の検出＞
模擬粉体１を試験空間にほぼ均一に飛散させ、試験空間中の異なる５点において模擬粉体を捕集した試料１〜５を得た。これらの試料に含まれるＡＴＰ量をルシフェリン・ルシフェラーゼ反応による公知の方法で定量した。その結果、表１に示す通り、模擬粉体１を試験空間にほぼ均一に飛散させているにも関わらず、ＡＴＰ量は各点によって大きく異なっている。これは、模擬粉体１を構成する個々の複合化粒子において、その表面に付着したＡＴＰ量が異なっているため、又は、飛散中に複合化粒子の一部が母粒子と子粒子に分解したため、であると考えられる。したがって、模擬粉体１を使用して、評価対象の空間における対象粉体の飛散状態を定性的に調べる（対象粉体の有無を調べる）ことは可能であるが、その飛散状態を定量的に調べることは困難であることが分かる。
【００６３】
【表１】
2014222164.tif 000002
【００６４】
表１に示す各数値の単位はＲＬＵ（Relative Light Unit）である。表１のControlは、ラクトース１００重量部とＡＴＰ０．０１重量部を均一に混合した試料を同様に測定したときの発光量である。
【００６５】
［試験例２］
＜模擬粉体２の調製＞
ラクトース粉体とＡＴＰ粉体を高速気流中で衝突させて複合化する乾式粒子複合化法によって、母粒子であるラクトース粒子の表面に子粒子であるＡＴＰが比較的強く固着した複合化粒子からなる模擬粉体２を得た。模擬粉体２の体積平均径は約６μｍであった。
【００６６】
模擬粉体２の調製には、試験例１で用いたものと同じラクトース粉体とＡＴＰ粉体を使用し、乾式粒子複合化装置（奈良機械製作所製、型名：ハイブリダイザー１型）を用いて、衝突チャンバー温度を４０〜７０℃に設定し、チャンバー内雰囲気ガスを一般室内空気とし、ローター回転速度８０００ｒｐｍの条件で複合化した。
【００６７】
＜模擬粉体２の検出＞
模擬粉体１の場合と同様に、模擬粉体２を試験空間にほぼ均一に飛散させ、試験空間中の異なる５点において模擬粉体を捕集した試料１〜５を得た。これらの試料に含まれるＡＴＰ量をルシフェリン・ルシフェラーゼ反応による公知の方法で定量した。表１に示す通り、試験空間の各点で検出されたＡＴＰ量はほぼ等量であった。この結果は、模擬粉体２を試験空間にほぼ均一に飛散させたことと一致する。すなわち、模擬粉体２を評価空間に飛散させて、所定位置のＡＴＰ量を検出することにより、その評価空間における模擬粉体の飛散状態を定性的に調べるだけでなく、その飛散状態を定量的に正確に評価できることが分かる。
【００６８】
＜ＳＭＥＰＡＣ法による、ＡＴＰと共存するラクトースの定量＞
ラクトース濃度１μｇ／Ｌの水溶液に、最終的にラクトースに対するＡＴＰの重量比が０．１％、０．０１％、０．００１％となるようにＡＴＰを添加した３種の水溶液Ａ１、Ａ２、Ａ３を調製した。これらの水溶液Ａ１〜Ａ３のラクトース濃度をＳＭＥＰＡＣ法に準じてＨＰＬＣで測定したところ、いずれの水溶液も１μｇ／Ｌ濃度のラクトースを含有することが確認できた。
同様に、ラクトース濃度５μｇ／Ｌの水溶液に、最終的にラクトースに対するＡＴＰの重量比が０．１％、０．０１％、０．００１％となるようにＡＴＰを添加した３種の水溶液Ｂ１、Ｂ２、Ｂ３を調製した。これらの水溶液Ｂ１〜Ｂ３のラクトース濃度をＳＭＥＰＡＣ法に準じてＨＰＬＣで測定したところ、いずれの水溶液も５μｇ／Ｌ濃度のラクトースを含有することが確認できた。
これらの結果から、ラクトースとＡＴＰの混合試料において、ラクトース／ＡＴＰの重量比が１０００〜１０００００の範囲であれば、ＳＭＥＰＡＣ法によるラクトース定量にＡＴＰが影響を及ぼさないことが明らかである。
【００６９】
以上で説明した各実施形態における各構成及びそれらの組み合わせ等は一例であり、本発明の趣旨を逸脱しない範囲で、構成の付加、省略、置換、およびその他の変更が可能である。